(57)【要約】    【課題】電源供給の停止後は所定の鍵を使用しても施錠手段を解除できず所定の鍵の不正使用による不正行為を防止できるようにする。    【解決手段】前扉３を筐体２に対して閉状態で施錠する施錠手段５と、電源供給の停止により、鍵操作でも施錠手段５を解除不能にするロック手段６とを備える。施錠手段５は、筐体２と前扉３との一方側に受け具４７を、筐体２と前扉３との他方側に、受け具４７に係脱自在に係合する掛け具５０及び該掛け具５０を鍵操作部の鍵操作に連動させる連動部材５３を夫々備え、筐体２と前扉３との他方側にロック手段６を備える。施錠手段５は連動部材５３と掛け具５０との間に、掛け具５０の解除方向の動作を許容する遊動部５５を備え、ロック手段６は連動部材５３，５３をロック可能である。【選択図】図４
2016104093.tif 000002
【特許請求の範囲】
【請求項１】
遊技の進行に要する電力を給電するための主電源と、
開閉体を支持体に対して閉状態で施錠可能であり、鍵操作により、前記閉状態を解除可能である施錠手段を備えた遊技機において、
前記主電源の給電が停止した場合に、前記鍵操作による前記閉状態の解除を不能にするロック手段を備えた
ことを特徴とする遊技機。
【請求項２】
前記施錠手段は、
前記支持体と前記開閉体との一方側に受け具を、
前記支持体と前記開閉体との他方側に、前記受け具に係脱自在に係合する掛け具及び該掛け具を鍵操作部の鍵操作に連動させる連動部材を夫々備え、
前記支持体と前記開閉体との他方側に前記ロック手段を備えた
ことを特徴とする請求項１に記載の遊技機。
【請求項３】
前記施錠手段は前記連動部材と前記掛け具との間に、前記掛け具の解除方向の動作を許容する遊動部を備え、
前記ロック手段は前記連動部材をロック可能である
ことを特徴とする請求項２に記載の遊技機。
【請求項４】
前記施錠手段は前記連動部材と前記掛け具とが施錠方向及び解除方向の双方向に連動可能であり、
前記ロック手段は前記連動部材から前記掛け具までの何れかをロック可能である
ことを特徴とする請求項２に記載の遊技機。
【請求項５】
前記ロック手段は、
ロック具と、
該ロック具をロック方向に付勢する付勢手段と、
給電中は前記付勢手段に抗して前記ロック具をアンロック状態に駆動する駆動部とを備えた
ことを特徴とする請求項１〜４の何れかに記載の遊技機。
【請求項６】
前記主電源の給電が停止したときに前記開閉体が開状態の場合に、前記開閉体の開状態を報知する報知手段を備えた
ことを特徴とする請求項１〜５の何れかに記載の遊技機。
【請求項７】
前記主電源の給電が停止したときに前記開閉体が開状態の場合に、前記ロック手段をアンロック状態にした後に前記施錠手段が前記開閉体を閉状態に施錠する
ことを特徴とする請求項１〜６の何れかに記載の遊技機。
【発明の詳細な説明】
【技術分野】
【０００１】
本発明は、スロットマシン、パチンコ機等の遊技機に関するものであり、主電源の給電が停止した場合に鍵操作による不正行為を防止できるようにしたものである。
【背景技術】
【０００２】
スロットマシン等の遊技機では、回転リール式の遊技図柄表示手段、メダル払い出し手段等が収容された遊技機本体等の筐体と、この筐体の前面側に開閉自在に装着された前扉とを備え、前扉を筐体側に閉じた状態で施錠手段により施錠し、前扉を開放するときには、所定の鍵を使用して施錠を解除するようにしている。
【０００３】
この種の遊技機では、前扉を閉じた場合にも、その前扉と筐体との間に僅かな隙間ができる。そのため遊技ホールでの営業中に、その隙間から内部へとピアノ線等の不正部材を挿入して、施錠手段を不正に解除する等の不正行為がなされる問題がある。
【０００４】
そこで、従来の遊技機では、筐体と前扉との対向部の一方又は両方に隙間を塞ぐための板金製等の阻止部材を設けて、この阻止部材によりピアノ線等の不正部材の進入を防止するようにしている（特許文献１）。
【先行技術文献】
【特許文献】
【０００５】
【特許文献１】特開２００１−２１２２８４号公報
【発明の概要】
【発明が解決しようとする課題】
【０００６】
従来の遊技機では、筐体と前扉との間からの不正部材の挿入による不正行為を防止することはできる。しかし、鍵を使用すれば施錠手段を解除することができるため、遊技ホールの営業の終了後に所定の鍵を不正に入手し、その鍵をシリンダ錠の鍵穴に挿入して前扉を開放するような不正行為に対しては、何等の効果もない。
【０００７】
本発明は、このような従来の問題点に鑑み、主電源の給電が停止した後の鍵操作による不正行為を防止できる遊技機を提供することを目的とする。
【課題を解決するための手段】
【０００８】
本発明は、遊技の進行に要する電力を給電するための主電源と、開閉体を支持体に対して閉状態で施錠可能であり、鍵操作により、前記閉状態を解除可能である施錠手段を備えた遊技機において、前記主電源の給電が停止した場合に、前記鍵操作による前記閉状態の解除を不能にするロック手段を備えたものである。
【０００９】
前記施錠手段は、前記支持体と前記開閉体との一方側に受け具を、前記支持体と前記開閉体との他方側に、前記受け具に係脱自在に係合する掛け具及び該掛け具を鍵操作部の鍵操作に連動させる連動部材を夫々備え、前記支持体と前記開閉体との他方側に前記ロック手段を備えたものでもよい。
【００１０】
前記施錠手段は前記連動部材と前記掛け具との間に、前記掛け具の解除方向の動作を許容する遊動部を備え、前記ロック手段は前記連動部材をロック可能であってもよい。前記施錠手段は前記連動部材と前記掛け具とが施錠方向及び解除方向の双方向に連動可能であり、前記ロック手段は前記連動部材から前記掛け具までの何れかをロック可能であることもある。
【００１１】
前記ロック手段は、ロック具と、該ロック具をロック方向に付勢する付勢手段と、給電中は前記付勢手段に抗して前記ロック具をアンロック状態に駆動する駆動部とを備えたものでもよい。前記主電源の給電が停止したときに前記開閉体が開状態の場合に、前記開閉体の開状態を報知する報知手段を備えたものでもよい。前記主電源の給電が停止したときに前記開閉体が開状態の場合に、前記ロック手段をアンロック状態にした後に前記施錠手段が前記開閉体を閉状態に施錠するようにしてもよい。
【発明の効果】
【００１２】
本発明によれば、主電源の給電が停止した後の鍵操作による不正行為を防止できる利点がある。
【図面の簡単な説明】
【００１３】
【図１】本発明の第１の実施形態を示すスロットマシンの斜視図である。
【図２】同筐体側の正面図である。
【図３】同前扉側の背面図である。
【図４】同施錠手段側の側面断面図である。
【図５】同施錠手段側の背面断面図である。
【図６】同施錠手段の平面断面図である。
【図７】同ロック手段の平面断面図である。
【図８】同施錠手段の解除動作時の側面断面図である。
【図９】同施錠手段の解除動作時の背面断面図である。
【図１０】同ロック手段による施錠手段のロック状態の側面断面図である。
【図１１】同ブロック図である。
【図１２】本発明の第２の実施形態を示す施錠手段の側面断面図である。
【図１３】同ブロック図である。
【図１４】本発明の第３の実施形態を示す施錠手段の側面断面図である。
【図１５】同施錠手段の要部の側面断面図である。
【図１６】同施錠手段の要部の平面断面図である。
【図１７】同施錠手段の動作状態の側面断面図である。
【図１８】本発明の第４の実施形態を示す施錠手段の側面断面図である。
【発明を実施するための最良の形態】
【００１４】
以下、本発明の実施形態を図面に基づいて詳述する。
【００１５】
図１〜図１１は本発明をスロットマシン（遊技機）１に採用した第１の実施形態を例示している。このスロットマシン１は、図１〜図３に示すように、遊技機本体を構成する筐体（支持体）２と、この筐体２の前側に配置された前扉（開閉体）３とを備えている。筐体２は前側が開放する箱形に形成され、前扉３は左右方向の一端側で上下一対のヒンジ４により開閉自在に枢支され、左右方向の他端側の施錠手段５により閉状態に施錠されている。
【００１６】
施錠手段５側には、商用電源等の主電源６８（図１１参照）からの給電が停止したときに前扉３の閉状態での施錠手段５の施錠を解除不能にロックするロック手段６と、前扉３の開閉を検出する開閉検出手段７と、前扉３を閉じるときに筐体２と前扉３とが合致するように案内する案内手段８とが設けられている。なお、筐体２と前扉３との対向部分には両者間の隙間を塞ぐ阻止部材（図示省略）が設けられている。
【００１７】
筐体２内には、図２に示すように、上下方向の中間に中間棚１０が設けられており、この中間棚１０上には左右方向に複数個（例えば３個）の図柄表示リール１１を有する回転リール式の遊技図柄表示手段１２が設けられ、中間棚１０の下側には底板１３上にメダル払い出し手段１４、メダル補助ケース１５、電源装置１６等が設けられている。また筐体２内の遊技図柄表示手段１２よりも上側の背板１７の前側には、主として遊技に関する制御を行う主制御基板１８を収容する主制御基板ケース１９が設けられている。
【００１８】
遊技図柄表示手段１２の図柄表示リール１１は駆動モータの駆動により左右方向の軸心廻りに個別に回転、停止可能であり、この図柄表示リール１１の回転、停止により、その外周に周方向に等間隔おきに表示された遊技図柄が変動し停止するようになっている。
【００１９】
なお、この遊技図柄表示手段１２は液晶式等の画像表示手段により構成して、その表示画面に表示される遊技図柄の表示画像が図柄表示リール１１の遊技図柄と同様に回転変動するように構成しても良い。
【００２０】
メダル払い出し手段１４は、図２に示すように、払い出し用のメダルを貯留するメダルホッパー２０と、メダルホッパー２０内のメダルを払い出すメダル払い出し部２１と、メダルホッパー２０から溢れたメダルをメダル補助ケース１５側に排出する余剰メダル排出口２２等を備えている。
【００２１】
前扉３には、その上部側に演出画像表示窓２３と遊技図柄表示窓２４と左右一対の上部スピーカ２５等が配置され、上下方向中間部に上操作パネル部２６と前操作パネル部２７とが配置され、更に下部側にメダル排出口２８とメダル受け皿２９と左右一対の下部スピーカ３０とが配置されている。
【００２２】
遊技図柄表示窓２４は、筐体２側の図柄表示リール１１に対応して矩形状に形成されており、遊技者はこの遊技図柄表示窓２４を介して図柄表示リール１１の遊技図柄を前側から視認可能になっている。演出画像表示窓２３は、前扉３の裏側に装着された液晶式等の演出画像表示手段４０に対応して遊技図柄表示窓２４の上側に形成されており、その演出画像表示手段４０に表示される演出画像を前側から視認可能になっている。
【００２３】
上操作パネル部２６には、その左右方向の一端側に１ベットボタン３１と、マックスベットボタン３２と、キャンセルボタン３３とが設けられ、他端側に遊技媒体としてのメダルを投入可能なメダル投入口３４が設けられている。
【００２４】
前操作パネル部２７には、各図柄表示リール１１を同時に回転させるためのスタートレバー３５と、回転中の各図柄表示リール１１を個別に停止させるためのストップボタン３６ａと、メダル投入口３４内に詰まったメダルを返却させるための返却ボタン３６ｂとが設けられている。
【００２５】
前扉３の裏側には、図３に示すように、演出画像表示手段４０の他に、メダル投入口３４から投入されたメダルの正偽を選別するメダル選別手段３７と、このメダル選別手段３７を通過した真正のメダルをメダルホッパー２０へと案内するメダルシュート３８と、メダル選別手段３７で排除された偽メダル及びメダル払い出し手段１４で払い出されたメダルをメダル排出口２８からメダル受け皿２９へと案内するメダル案内通路３９とが設けられている。
【００２６】
演出画像表示手段４０の裏側には、そのドライバ基板４１を収容するドライバ基板ケース４２が装着され、このドライバ基板ケース４２の裏側に、演出制御基板４３を収容する制御基板ケース４４が装着されている。
【００２７】
施錠手段５は、図４〜図１０に示すように、筐体２の側板４６の内側に固定された上下一対の受け具４７と、前扉３の扉枠３ａの後側に固定された上下方向の支持部材４９と、各受け具４７に対応して支持部材４９に設けられた上下一対の掛け具５０と、各掛け具５０を連動させる連動機構５１と、支持部材４９に設けられたシリンダ錠（鍵操作部）５２とを備え、前扉３を閉じたときに掛け具５０が受け具４７に係合して施錠し、所定の鍵をシリンダ錠５２に挿入して解除方向に操作したときに、掛け具５０が受け具４７から離脱して解除するようになっている。
【００２８】
支持部材４９は前扉３の扉枠３ａの裏面側に当接して固定されており、内端側から後方に屈曲して筐体２の側板４６の内側へと突出する支持部４９ａを有する。各掛け具５０は係合部５０ａを有するフック形状であって、受け具４７に係脱自在に係合するように、支持部材４９の支持部４９ａに枢軸４８により回動自在に枢支されている。掛け具５０には受け具４７を係合部５０ａ側へと案内する案内部５０ｂが設けられている。
【００２９】
なお、支持部４９ａには、掛け具５０の係合部５０ａの近傍に解除阻止部４５が突出状に設けられ、ピアノ線等の不正部材を掛け具５０の係合部５０ａに引っ掛けたときに、その不正部材が係合部５０ａと解除阻止部４５とに引っ掛かり、不正部材を下側へと引っ張っても不正部材による掛け具５０の解除方向への回動を阻止するようになっている。
【００３０】
連動機構５１は第１連動部材５３と、この第１連動部材５３と各掛け具５０とを連動連結する第２連動部材５４とを有し、支持部材４９の支持部４９ａに沿って上下動自在に配置されている。第１連動部材５３は、シリンダ錠５２の操作軸５２ａの先端に固定された操作具５２ｂが解除方向に係合可能な係合部５３ａを有し、上下両端側が長孔、ピン等の遊動部５５を介して第２連動部材５４に連結されている。遊動部５５は掛け具５０の枢軸４８廻りの解除方向への回動を許容するようになっている。
【００３１】
第２連動部材５４は連結軸５６を介して掛け具５０に連結され、支持部材４９との間に設けられたバネ（付勢手段）５７により、掛け具５０が受け具４７に係合する係合方向に付勢されている。
【００３２】
シリンダ錠５２は前扉３を前側に貫通して支持部材４９に固定されており、前扉３の前面側から鍵穴に所定の鍵を挿入して解除方向に回動操作したときに、操作軸５２ａの操作具５２ｂが第１連動部材５３の係合部５３ａに係合して、第１連動部材５３を解除方向に作動させるようになっている。
【００３３】
ロック手段６は支持部材４９側に設けられており、主電源６８からの電力の給電が停止したときに連動機構５１を支持部材４９にロックするように構成されている。このロック手段６は第１連動部材５３に形成された孔等の係合部５９と、支持部材４９の支持部４９ａに挿通され且つ第１連動部材５３の係合部５９に係脱自在なロック具６０と、このロック具６０を第１連動部材５３側へとロック方向に付勢するバネ（付勢手段）６１と、支持部材４９の支持部４９ａに固定され且つ主電源６８からの電力の給電中はロック具６０をアンロック状態に駆動し保持する電動式の駆動部６２とを備えている。
【００３４】
なお、ロック手段６としては可動鉄心、コイル、戻しバネを備えたソレノイドが適当である。その場合、可動鉄心によりロック具６０が、コイルにより電動式の駆動部６２が、戻しバネによりバネ６１が夫々構成されることになる。
【００３５】
開閉検出手段７はフォトセンサ等の非接触式であって、筐体２の側板４６の内側に固定されており、支持部材４９の支持部４９ａから内側に突出する突部４９ｂを感知するか否かによって、前扉３の開閉を検出するようになっている。
【００３６】
案内手段８は筐体２の側板４６の内側に固定された案内レール８ａと、支持部材４９の支持部４９ａに枢支され且つ前扉３を閉じたときに案内レール８ａ上に乗り上がる車輪８ｂとを有する。
【００３７】
図１１は遊技ホールに設置されたスロットマシン１と電源との関係を示す。複数の遊技島６５に複数のスロットマシン１が夫々設置された遊技ホールでは、その各遊技島６５に対応して主電源回路６６と補助電源回路６７とが設けられている。
【００３８】
主電源回路６６は遊技の進行に要する電力を給電する商用電源等の主電源６８と、この主電源６８に接続された主電源スイッチ等のブレーカ６９とがあり、その主電源６８からブレーカ６９を経由して各スロットマシン１の電源基板７０に接続された駆動部６２、その他の電気系統に電力を供給可能に構成されている。
【００３９】
補助電源回路６７は遊技の進行とは関係しない電力を給電するバッテリ、コンデンサ等の補助電源７２と、この補助電源７２に接続され且つブレーカ６９を切断したときにオンする補助スイッチ７３とがあり、ブレーカ６９を切断したときに、その補助電源７２から補助スイッチ７３を経由して各スロットマシン１の電源基板７０に接続された開閉検出手段７、報知手段７４に給電可能に構成されている。補助電源７２は商用電源を利用してもよい。
【００４０】
開閉検出手段７は前扉３の開閉を検出するもので、前扉３が開状態のときにオンする等により報知手段７４を作動させるようになっている。報知手段７４はランプ、ブザー等により構成されており、ブレーカ６９を遮断したときに前扉３が開放状態であれば、開閉検出手段７の検出に従って光又は音によって前扉３の開放を報知するようになっている。
【００４１】
なお、開閉検出手段７、報知手段７４は各スロットマシン１毎に設けられている。主電源６８、補助電源７２は各遊技島６５に共通するように設けてもよい。
【００４２】
このような構成のスロットマシン１では、遊技ホールの営業中はブレーカ６９が投入されており、各スロットマシン１に主電源６８から給電されているため、ロック手段６は施錠手段５をロックしておらず、シリンダ錠５２に所定の鍵を挿入して操作すれば、必要に応じて施錠手段５を解除して前扉３を開放することができる。
【００４３】
しかし、遊技ホールの営業が終了しブレーカ６９を遮断して主電源６８からの給電を停止すると、ロック手段６が施錠手段５をロックするため、所定の鍵を使用しても施錠手段５を解除することはできない。従って、営業の終了後に不正に鍵を入手して前扉３を不正に開放する等の不正行為を防止することができる。
【００４４】
即ち、遊技ホールの営業中は各スロットマシン１に主電源６８から給電しているので、図９に示すように、ロック手段６の駆動部６２が作動（励磁）しロック具６０をバネ６１に抗して後退させており、ロック具６０が第１連動部材５３の係合部５９から離脱した状態にある。
【００４５】
従って、シリンダ錠５２に所定の鍵を挿入して解除方向（図９のａ矢示方向）に回動操作すれば、連動機構５１が図８、図９のｂ矢示方向に移動し、掛け具５０が枢軸４８廻りに解除方向（図８のｃ矢示方向）に回動するため、必要に応じて施錠手段５による施錠を解除して前扉３を開放することができる。
【００４６】
また前扉３をヒンジ４廻りに筐体２側へと回動させれば、掛け具５０の案内部５０ｂが受け具４７に接触しバネ５７に抗して枢軸４８廻りに図８のｃ矢示方向に回動する。そして、受け具４７が案内部５０ｂを通過したときに掛け具５０がバネ５７の付勢により枢軸４８廻りに反ｃ矢示方向に回動して、その係合部５０ａが受け具４７に係合して自動的に施錠することができる。
【００４７】
遊技ホールの営業を終了すれば、各遊技島６５毎にブレーカ６９を遮断して主電源６８からの給電を停止する。そして、給電を停止すれば、駆動部６２のソレノイドが消磁してロック具６０の保持が解除されるので、図１０に示すように、バネ６１の付勢によりロック具６０が第１連動部材５３の係合部５９に係合して、ロック手段６が前扉３の閉状態で施錠手段５をロックする。
【００４８】
従って、施錠手段５の第１連動部材５３がロック手段６により上下動不能に拘束された状態になるため、遊技ホールの営業の終了後に、不正に入手した所定の鍵をシリンダ錠５２の鍵穴に挿入して施錠手段５を解除しようとしても、施錠手段５が解除動作不能であり、鍵の不正入手による不正行為を防止することができる。
【００４９】
ブレーカ６９を遮断すれば、補助スイッチ７３がオンする。このとき何れかのスロットマシン１の前扉３が開いたままであれば、そのスロットマシン１の開閉検出手段７がその開放を検出するため、補助電源７２からの給電により報知手段７４が発光又は音声により前扉３の開放を報知する。そして、開放状態の前扉３を閉じれば開閉検出手段７が閉状態を検出し報知手段７４の報知が終了する。
【００５０】
またブレーカ６９を遮断すれば、ロック手段６により施錠手段５は解除不能にロックされる。しかし、ロック手段６は第１連動部材５３を解除方向に移動不能にロックするだけであって、第１連動部材５３と第２連動部材５４との間に遊動部５５の範囲内で掛け具５０が枢軸４８廻りに回動自在であるため、前扉３をヒンジ４廻りに閉じる方向に回動させることにより、前述のように施錠手段５によって前扉３を閉状態に施錠することができる。
【００５１】
なお、この実施形態では、主電源６８からの給電を遮断した場合に、前扉３を開放したままのスロットマシン１があれば、補助スイッチ７３のオン、開閉検出手段７の検出を条件に補助電源７２からの給電により報知手段７４が前扉３の開放を報知するようにしているが、この報知は省略するようにしてもよい。
【００５２】
図１２、図１３は本発明の第２の実施形態を例示する。この実施形態では、図１２に示すように、上下の掛け具５０とシリンダ錠５２とを連動させる連動機構５１は、１個の連動部材５３により構成されている。連動部材５３は上下両側に連結軸５６を介して掛け具５０に連結されており、またこの連動部材５３の中間には、シリンダ錠５２の操作具５２ｂが係合する係合部５３ａと、ロック手段６の係合部５９とが形成されている。
【００５３】
ロック手段６はロック具６０が連動部材５３の係合部５９に係合して施錠手段５をロックするが、連動部材５３に連結軸５６を介して掛け具５０が連結されているため、ロック手段６による施錠手段５のロック中は、掛け具５０は施錠方向、解除方向の何れにも回動不能である。
【００５４】
図１３に示すように、各スロットマシン１の駆動部６２、その他の電気系統は、ダイオード７６を介してブレーカ６９に接続されると共に、ダイオード７７、開閉検出手段７、報知手段７４を介して補助スイッチ７３に接続されている。駆動部６２は主電源６８、補助電源７２の何れからも給電可能である。開閉検出手段７、報知手段７４は補助電源７２に接続されており、主電源６８からは給電されないようになっている。他の構成は第１の実施形態と同様である。
【００５５】
この実施形態においても、遊技ホールの営業中は主電源６８からの給電によって、ロック手段６の駆動部６２がロック具６０をアンロック状態に保持している。そのため前扉３を閉じれば、施錠手段５により前扉３を施錠することができ、また鍵操作により施錠手段５を解除して前扉３を開放することができる。
【００５６】
ブレーカ６９を遮断して主電源回路６６からの給電を停止すると、ロック手段６のロック具６０が連動部材５３の係合部５９に係合して施錠手段５をロックする。そのため施錠手段５は施錠方向、解除方向の何れにも動作しなくなり、遊技ホールの営業終了後に鍵を不正に入手して施錠手段５を解除する不正行為を防止することができる。
【００５７】
またブレーカ６９を遮断すると、補助スイッチ７３がオンする。このとき遊技島６５の全てのスロットマシン１の前扉３が閉状態であれば開閉検出手段７が閉状態を検出しているため、補助電源７２から駆動部６２への給電はない。従って、ロック手段６は施錠手段５をロックしたままである。
【００５８】
しかし、何れかのスロットマシン１の前扉３が開放状態であれば、そのスロットマシン１の開閉検出手段７が前扉３の開放を検出するため、補助電源７２から補助スイッチ７３、開閉検出手段７、報知手段７４、駆動部６２に至る回路が閉じて、報知手段７４が前扉３の開放状態を報知すると共に、ロック手段６の駆動部６２が働いてロック具６０をアンロック状態に保持する。
【００５９】
そのため管理者は報知手段７４の報知によって前扉３が開放状態にあるスロットマシン１を容易且つ確実に把握することができる。また報知中のスロットマシン１は、ロック手段６が施錠手段５のロックを解除したアンロック状態にあるので、前扉３をヒンジ４廻りに回動させて閉じることができる。なお、前扉３が閉状態にあるスロットマシン１では、ロック手段６は施錠手段５を作動不能にロックしたままであり、ロック手段６を不必要に解除するようなことはない。
【００６０】
前扉３が閉状態になれば、開閉検出手段７がオフ状態になるので、報知手段７４が報知を終了すると共に、ロック手段６の駆動部６２がロック具６０の保持を解除して施錠手段５を作動不能にロックする。そのため鍵を使用しても前扉３を開放することはできなくなる。
【００６１】
なお、ロック手段６は主電源６８、補助電源７２の何れでも作動可能に構成し、報知手段７４は開閉検出手段７による前扉３の開閉検出を条件に補助電源７２からの給電により作動するように構成すればよい。従って、補助スイッチ７３はブレーカ６９に機械的に連動、又はブレーカ６９の遮断を電気的に検出してオンするようにしてもよいし、ブレーカ６９とは別に手動操作でオンするようにしてもよい。
【００６２】
補助スイッチ７３をブレーカ６９とは別に手動操作でオンさせる場合には、ブレーカ６９を切れば補助スイッチ７３をオンしない限り、ロック手段６が施錠手段５を作動不能にロックしたままである。そのため前扉３が開いたままのスロットマシン１があっても、直ちに前扉３を閉じることはできない。
【００６３】
従って、主電源６８からの給電を停止した後に、前扉３が開放状態のスロットマシン１がある場合には、コンデンサ等の報知用電源からの給電により、前扉３の開放を報知するランプ、ブザー等の報知手段７４を設けておき、その報知手段７４による報知があれば、管理者が補助スイッチ７３を入れてロック手段６によるロックを解除してから、その報知中のスロットマシン１の前扉３を閉じるようにすればよい。
【００６４】
図１４〜図１７は本発明の第３の実施形態を例示する。この実施形態では、図１４〜図１６に示すように、前扉３を筐体２に閉状態で施錠する施錠手段５と、主電源６８からの給電を停止したときに施錠手段５を解除操作不能にロックする第１ロック手段６と、施錠状態の掛け具５０を解除操作不能にロックする第２ロック手段８１とを備えている。
【００６５】
施錠手段５は筐体２に固定された受け具４７と、前扉３側の支持部材４９に枢軸４８により枢支された上下一対の掛け具５０と、支持部材４９により枢軸４８廻りに回動自在に支持され且つシリンダ錠５２の鍵操作により各掛け具５０を解除方向に連動して操作する連動部材５３とを備えている。
【００６６】
掛け具５０は係合部５０ａと案内部５０ｂとを有し、規制手段８２の許容範囲内で枢軸４８廻りに回動自在であり、バネ８３により受け具４７に係合する係合方向に付勢されている。バネ８３は枢軸４８廻りに套嵌されたつる巻式であり、両端が掛け具５０及び支持部材４９に係合されている。
【００６７】
連動部材５３は上下一対の案内手段８０を介して支持部材４９に上下動自在に支持され、バネ５７により戻り方向に付勢されている。この連動部材５３には、鍵操作による解除方向への移動時に、先ず第２ロック手段８１によるロックを解除し、次いで掛け具５０を解除操作するための操作部８４が設けられている。案内手段８０は支持部材４８に固定された案内突起８０ａと、連動部材５３に形成された案内孔８０ｂとを有し、その案内孔８０ｂの範囲内で連動部材５３が上下動自在である。
【００６８】
第２ロック手段８１は、掛け具５０に係合する係合位置Ｘと掛け具５０から離脱する離脱位置Ｙとの間で支軸８５により支持部材４９に回動自在に枢支されたロック部材８６と、このロック部材８６を係合位置Ｘと離脱位置Ｙとに不安定切り換え可能に付勢するバネ（付勢手段）８７と、筐体２側に固定され且つ前扉３を閉じるときに離脱位置Ｙのロック部材８６を係合方向に操作する操作部材８８と、鍵操作により連動部材５３が解除方向に移動したときにロック部材８６の係合を解除した後に掛け具５０を解除方向に操作する操作部８４とを備えている。
【００６９】
係合位置Ｘのロック部材８６は、一端側の係合部８６ａが掛け具５０の被係合部５０ｃに係合して掛け具５０を施錠位置に保持されており、他端側の被操作部８６ｂが連動部材５３の操作部８４により操作されたときに係合部８６ａが被係合部５０ｃから離脱するようになっている。また離脱位置Ｙのロック部材８６は、ストッパー８９に当接しており、前扉３を閉じるときに一端側の被操作部８６ｄが操作部材８８により操作されて係合方向に回動するようになっている。。
【００７０】
連動部材５３の操作部８４は、ロック部材８６の解除操作後、被操作部５０ｄを介して掛け具５０をバネ８３に抗して回動させるようになっている。バネ８７はロック部材８６のバネ掛け部８６ｃと支持部材４９のバネ掛け部４９ｃとの間に介在されている。
【００７１】
バネ掛け部４９ｃは、バネ８７によりロック部材８６を係合位置Ｘと離脱位置Ｙとに不安定切り換え可能に付勢するように、係合位置Ｘと離脱位置Ｙとの中間位置に配置されている。操作部材８８は傾斜状の操作部８８ａを有し、前扉３が筐体２側に近接したときに離脱位置Ｙのロック部材８６を係合方向に操作するようになっている。
【００７２】
第１ロック手段６は第２の実施形態のロック手段６と略同じである。また他の各構成も各実施形態と同様である。
【００７３】
前扉３を閉じた閉状態では、第２ロック手段８１のロック部材８６が掛け具５０の被係合部５０ｃに係合しており、掛け具５０は解除方向（図１４、図１５のｃ矢示方向）には回動不能である。従って、遊技中にピアノ線等の不正部材を引っ掛けて掛け具５０を下方へと回動させようとしても、掛け具５０が回動することはなく、不正部材の挿入による施錠手段５の不正解除を防止することができる。
【００７４】
前扉３を開放する場合にはシリンダ錠５２に鍵を挿入して施錠手段５による施錠を解除する。この施錠の解除時には、図１７（Ａ）に示すように、連動部材５３がｂ矢示方向に移動する。そして、連動部材５３が移動を開始すると、先ず操作部８４がロック部材８６をｅ矢示方向に操作する。そのためロック部材８６がｅ矢示方向に回動し、掛け具５０から離脱してその固定を解除する。そして、ロック部材８６は、図１７（Ｂ）に示すように、バネ８７により離脱位置Ｙに保持される。
【００７５】
掛け具５０のロックを解除した後、図１７（Ｂ）に示すように連動部材５３が更に移動すると、その操作部８４が掛け具５０を枢軸４８廻りにｃ矢示方向に操作する。これによって掛け具５０が回動して受け具４７から下方に離脱するため、その状態で前扉３をヒンジ４廻りに開方向に回動させれば前扉３を開放することができる。
【００７６】
前扉３を閉じる場合には、前扉３が筐体２に近接すると、図１７（Ｃ）に示すように、掛け具５０が受け具４７に係合した後に、操作部材８８が離脱位置Ｙにあるロック部材８６を操作するので、ロック部材８６が支軸８５廻りにｆ矢示方向に回動するため、このロック部材８６が受け具４７に係合状態にある掛け具５０に係合して、この掛け具５０を回動不能にロックする。これによって施錠手段５は解除不能になる。
【００７７】
遊技ホールの営業の終了後にブレーカ６９を遮断して主電源６８からの給電を停止すると、第１ロック手段６のロック具６０が連動部材５３の係合部５９に係合して連動部材５３を上下動不能にロックする。そのため所定の鍵をシリンダ錠５２に挿入しても、各実施形態と同様に施錠手段５を解除することはできなくなる。
【００７８】
このように施錠手段５の各掛け具５０に第２ロック手段８１を設けて、不正部材の挿入による掛け具５０の不正解除を防止するようにしてもよい。この場合にも、第２ロック手段８１とは別に第１ロック手段６を設けることにより、遊技ホールの営業の終了後の鍵操作による不正行為も防止することができる。
【００７９】
なお、第２ロック手段８１は、掛け具５０が受け具４７に係合した状態で掛け具５０をロックできるものであればよい。
【００８０】
図１８は本発明の第４の実施形態を例示する。この実施形態では、施錠手段５を構成する掛け具５０、連動部材５３等の可動部分の内、その掛け具５０をロックするようにロック手段６が設けられている。
【００８１】
ロック手段６は掛け具５０の基部側に形成されたロック用の係合部５９と、この係合部５９に係脱自在に設けられた支持部材４９側のロック具６０と、このロック具６０を係合方向に付勢するバネ６１と、ロック具６０をバネ６１に抗して解除方向に駆動するソレノイド等の駆動部６２とを有する。支持部材４９には掛け具５０の係合部５０ａに近接して解除阻止部４５が設けられている。
【００８２】
なお、シリンダ錠５２に鍵を挿入して解除方向に操作したときに、掛け具５０が連動部材５３の操作部８４により押し上げられて解除方向に回動する等、他の構成は各実施形態と同様である。
【００８３】
遊技ホールの営業中は、ロック手段６は主電源６８から駆動部６２への給電により作動（励磁）してロック具６０を離脱状態に保持している。従って、施錠手段５の掛け具５０は鍵操作により解除方向に回動可能であり、通常通りに施錠手段５の施錠、解除が可能である。
【００８４】
遊技ホールの営業終了後にブレーカ６９を切ると、ロック手段６の駆動部６２が作動しなくなり、バネ６１によりロック具６０が係合部５９に係合して、掛け具５０を施錠状態にロックする。従って、その後は所定の鍵を使用しても施錠手段５を不正に解除することはできない。
【００８５】
このようにロック手段６で施錠手段５を解除不能にロックする場合、そのロック箇所は施錠手段５の可動部分であれば、連動部材５３をロックする以外に掛け具５０をロックする構造を採用することも可能である。
【００８６】
なお、ブレーカ６９を切ったときに前扉３を開放した状態のスロットマシン１がある場合には、再度主電源６８のブレーカ６９を入れて、ロック手段６によるロックを解除してから前扉３を閉じるうにしてもよいし、他の実施形態のように補助電源７２を利用してロック手段６を解除する方法を採用してもよい。
【００８７】
以上、本発明の実施形態について詳述したが、本発明はこれらの実施形態に限定されるものではなく、本発明の趣旨を逸脱しない範囲で種々の変更が可能である。例えば、実施形態では、スロットマシン１について例示しているが、パチンコ機、アレンジボール機等の遊技機でも同様に実施可能である。
【００８８】
また実施形態では、支持体として筐体（遊技機本体）２を、開閉体として前扉３を例示しているが、支持体と、この支持体に開閉自在に支持された開閉体との関係にあるものであれば、筐体２、前扉３以外のものでもよい。従って、外枠に対して開閉自在な前枠と、前枠に対して開閉自在な前面扉（ガラス扉等）とを備えたパチンコ機の場合には、外枠と前枠との一方を支持体とし、他方を開閉体としてもよいし、前枠を支持体とし、外枠及び／又は前面扉を開閉体としてもよい。
【００８９】
ロック手段６は電源からの給電を停止したときに、所定の鍵を使用して解除操作しても施錠手段５を解除不能にロックできるものであればよく、ソレノイド、モータ等の駆動部６２によりロック具６０を駆動するようにしたものが一般的である。その場合、給電中は駆動部６２によりロック具６０をバネに抗してアンロック状態に保持しておき、給電の停止時にロック具６０をバネによりロック状態に付勢するようにしてもよいし、駆動部６２によりロック具６０をロック位置とアンロック位置との二位置に移動可能に駆動し、その各位置でロック具６０を位置決め手段、その他により保持するようにしてもよい。
【００９０】
また施錠手段５は、支持体と開閉体との一方側に受け具４７を設け、支持体と開閉体との他方側に、受け具４７に係脱自在に係合する掛け具５０と、この掛け具５０を鍵操作部の鍵操作に連動させる連動部材５３と、ロック手段６とを設けてもよい。
【００９１】
施錠手段５の連動部材５３と掛け具５０との間に、掛け具５０の解除方向の動作を許容する遊動部５５を備える場合には、主電源６８からの給電終了後に開閉体が開状態にあっても、そのままで開閉体を閉じて施錠できるように、施錠手段５の連動部材をロック手段６でロック可能にすることが望ましい。
【００９２】
また施錠手段５の連動部材５３と掛け具５０とが施錠方向及び解除方向の双方向に連動する場合には、主電源６８からの給電終了後に開閉体が開状態にあっても、そのままでは開閉体を閉じて施錠することはできないので、施錠手段５の連動部材から掛け具５０までの何れかをロック手段６でロック可能にすればよい。
【符号の説明】
【００９３】
１  スロットマシン（遊技機）
２  筐体（支持体）
３  前扉（開閉体）
５  施錠手段
６  ロック手段
７  開閉検出手段
４７  受け具
４８  枢軸
４９  支持部材
５０  掛け具
５１  連動機構
５２  シリンダ錠（鍵操作部）
５３，５４  連動部材
５７，６１  バネ（付勢手段）
５９  係合部
６０  ロック具
６２  駆動部
６８  主電源
６９  ブレーカ
７２  補助電源
７３  補助スイッチ
７４  報知手段
【図１】
2016104093.tif 000003
【図２】
2016104093.tif 000004
【図３】
2016104093.tif 000005
【図４】
2016104093.tif 000006
【図５】
2016104093.tif 000007
【図６】
2016104093.tif 000008
【図７】
2016104093.tif 000009
【図８】
2016104093.tif 000010
【図９】
2016104093.tif 000011
【図１０】
2016104093.tif 000012
【図１１】
2016104093.tif 000013
【図１２】
2016104093.tif 000014
【図１３】
2016104093.tif 000015
【図１４】
2016104093.tif 000016
【図１５】
2016104093.tif 000017
【図１６】
2016104093.tif 000018
【図１７】
2016104093.tif 000019
【図１８】
2016104093.tif 000020